(57)【要約】【課題】  投入するコンクリートの圧力を受けてもインサートが真っ直ぐに埋設されるインサート取付治具を提供する。【解決手段】  インサート１９を保持した状態で型枠１８内に取り付けるインサート取付治具１１であって、該インサート取付治具１１は、円盤状の基部１２と、該基部１２の中央位置から起立させて所要長さで且つ中心部に長さ方向に沿う孔２４を有する突出部２３とを、弾性を有する合成樹脂材で一体に形成し、該突出部２３は、基部１２側をネジ部１３に自由端部側を細径部１４に形成し、前記基部１２には、前記ネジ部１３の外周に沿うように前記インサート１９の端部１９ａが嵌り込むリング状の溝部１７を形成し、前記細径部１４の外周面に釣り鐘状のキャップ１５を被せ、該キャップ１５の先端部から前記基部１２に渡って軸材１６を前記孔２４に挿通した構成である。【選択図】      図１
2006028907.tif 000002
【特許請求の範囲】
【請求項１】
インサートを保持した状態で型枠内に取り付けるインサート取付治具であって、
該インサート取付治具は、円盤状の基部と、該基部の中央位置から起立させて所要長さで且つ中心部に長さ方向に沿う孔を有する突出部とを、弾性を有する合成樹脂材で一体に形成し、該突出部は、基部側をネジ部に自由端部側を細径部に形成し、前記基部には、前記ネジ部の外周に沿うように前記インサートの端部が嵌り込むリング状の溝部を形成し、
前記細径部の外周面に釣り鐘状のキャップを被せ、
該キャップの先端部から前記基部に渡って軸材を前記孔に挿通したこと
を特徴とするインサート取付治具。
【請求項２】
前記溝部は、周縁に沿って立上がり部が形成されていることを特徴とする請求項１に記載のインサート取付治具。
【請求項３】
前記軸材は、釘、ビス、金属製棒材、又は硬化プラスチック製棒材であることを特徴とする請求項１に記載のインサート取付治具。
【請求項４】
請求項１に記載のインサート取付治具を用い、
前記ネジ部にインサートの雌ネジ部を螺着してから、
前記基部を型枠に対して接着剤で接着し、又は両面テープで貼着し、或いは釘で打ち付けて、型枠に取り付けること
を特徴とするインサートの取付方法。
【発明の詳細な説明】
【技術分野】
【０００１】
本発明は、インサート金具等をコンクリート構造物等に埋設するために、型枠に保持させるインサート取付治具、及びインサートの取付方法に関するものである。
【背景技術】
【０００２】
従来、この種のインサート取付治具としては、次のような構成の吸盤型インサート取付治具が知られている。この吸盤型インサート取付治具は、インサートの内径部に挿入する基部と、この基部の一端に設けられた吸盤とから構成される（特許文献１参照）。
【０００３】
このような構成の吸盤型インサート取付治具を型枠に保持させる場合は、まず、型枠の所定位置に吸盤を吸着させてから、基部に対してインサートの内径部を嵌合させることにより、インサートを型枠の所定位置に立設させるのである。
【特許文献１】特開２００１−７１３１９号公報（第１頁、図１（Ａ）（Ｂ））。
【発明の開示】
【発明が解決しようとする課題】
【０００４】
この従来例の吸盤型インサート取付治具１においては、型枠２内にコンクリート３を打設するときに、投入するコンクリート３の圧力によって、インサート４が斜めに傾いてネジ山５がズレることとなり（図１０（イ）（ロ）参照）、結果的に、コンクリート構造物６の中にインサート４が傾いた状態で埋設とされるという問題点を有している（図１０（ハ）参照）。
【０００５】
また、コンクリート３の打設時に、インサート４の端部４ａからコンクリート３のノロが内部に侵入するおそれがあるという欠点も有している。
【０００６】
従って、従来例における吸盤型インサート取付治具においは、投入するコンクリートの圧力を受けてもインサートが真っ直ぐに埋設されるようにすることと、インサートの端部からコンクリートのノロが侵入しないようにすることとに解決しなければならない課題を有している。
【課題を解決するための手段】
【０００７】
前記従来例の課題を解決する具体的手段として本発明は、インサートを保持した状態で型枠内に取り付けるインサート取付治具であって、該インサート取付治具は、円盤状の基部と、該基部の中央位置から起立させて所要長さで且つ中心部に長さ方向に沿う孔を有する突出部とを、弾性を有する合成樹脂材で一体に形成し、該突出部は、基部側をネジ部に自由端部側を細径部に形成し、前記基部には、前記ネジ部の外周に沿うように前記インサートの端部が嵌り込むリング状の溝部を形成し、前記細径部の外周面に釣り鐘状のキャップを被せ、該キャップの先端部から前記基部に渡って軸材を前記孔に挿通したことを特徴とするインサート取付治具を提供するものである。
【０００８】
そして、前記溝部は、周縁に沿って立上がり部が形成されている構成としたものであり、更に、前記軸材は、釘、ビス、金属製棒材、又は硬化プラスチック製棒材である構成としたものである。
【０００９】
また、本発明は、請求項１に記載のインサート取付治具を用い、前記ネジ部にインサートの雌ネジ部を螺着してから、前記基部を型枠に対して接着剤で接着し、又は両面テープで貼着し、或いは釘で打ち付けて、型枠に取り付けることを特徴とするインサートの取付方法を提供するものである。
【発明の効果】
【００１０】
本発明に係るインサート取付治具は、基部にリング状の溝部が設けられているので、インサートを保持したときに、インサートの端部を溝部に嵌め込むことができる。従って、インサートの端部からコンクリートのノロが内部に侵入しない。
また、インサート取付治具が投入するコンクリートの圧力を受けたときに、溝部がインサートの端部を保持した状態で傾斜防止ストッパーの役目を果たすこととなる。更に、コンクリートの圧力でインサートが傾いた場合でも、軸材に真っ直ぐ戻る力が働くので、コンクリート構造物の中にインサートが真っ直ぐに埋設されるという種々の優れた効果を奏する。
【００１１】
更に、インサート取付治具は、軸材が挿通されているので、コンクリート養生後にインサートから強制的に引き抜くときに、基部と突出部とが破断しにくく、引き抜きが容易である。仮に、基部と突出部とが破断した場合であっても、ペンチ等で軸材を引き抜いて簡単に取り除くことができるという優れた効果を奏する。
【００１２】
また、本発明に係るインサートの取付方法は、インサート取付治具の基部を接着剤又は両面テープ等を用いて型枠に取り付けるので、作業が素手で簡単に行えて、作業性が良好である。また、工具が必要なく作業能率が向上すると共に、型枠に孔を開ける必要がないという種々の優れた効果を奏する。
【発明を実施するための最良の形態】
【００１３】
インサート取付治具が投入するコンクリートの圧力を受けた場合でも、インサートをコンクリート構造物の中に真っ直ぐ埋設できるようにすることと、インサートの端部からコンクリートのノロを侵入させないという目的を、インサート取付治具の基部にリング状の溝部を設けると共に、キャップの先端部から基部に渡って軸材を挿通したことにより実現した。
【実施例１】
【００１４】
次に、本発明の実施の形態について図面を参照しながら説明する。まず、図１から図３において、符号１１はインサート取付治具を示し、このインサート取付治具１１は、基部１２と、この基部１２の中央位置に設けられた突出部２３と、この突出部２３の自由端部側に形成した細径部１４に被覆するキャップ１５と、このキャップ１５の先端部１５ａから基部１２に渡って挿通された軸材１６とから構成されている。そして、基部１２と突出部２３とは、弾性を有する合成樹脂材で一体に形成されている。
【００１５】
基部１２は、所要の厚みを有して円盤状に形成されており、湾曲した状態に変形することが可能である。また、基部１２には後述するネジ部１３の外周に沿うようにリング状の溝部１７が形成されている。この溝部１７は、後述するインサート１９を保持したときに、インサート１９の端部１９ａが嵌り込むようになっている。
【００１６】
突出部２３は、基部側をネジ部１３に形成して外周面にネジ溝を刻設しており、また、自由端部側をネジ部１３よりも細径な細径部１４に形成している。更に、突出部２３の中心部には、長さ方向に沿う孔２４が形成されており、この孔２４は、基部１２まで挿通している。
【００１７】
細径部１４は、途中に段部１４ａを有し、段部１４ａの先端に略椀状の先端部１４ｂが形成されている。
【００１８】
キャップ１５は、細径部１４の外周面をスッポリと覆う、釣り鐘状に形成されていると共に、やや硬質の合成樹脂材で形成されており、先端に先端孔１５ａが設けられている。
【００１９】
軸材１６は、キャップ１５の先端孔１５ａから孔２４を通って基部１２まで挿通されており、基部１２の底面１２ａでは、軸材１６の先端が突出しないように切断されている。なお、軸材１６は、具体的には、釘、ビス、金属製の棒材、又は硬化プラスチック製の棒材等であり、要するに、硬質の軸状部材であればよい。
このように、インサート取付治具１１には軸材１６が挿通されているので、基部１２とネジ部１３と細径部１４とが一体化して、弾性を有するだけでなくインサート１９を保持したときにフィットすることとなる。
【実施例２】
【００２０】
次に、図４及び図５に第２実施例に係るインサート取付治具３１を示す。この第２実施例において、前記第１実施例のインサート取付治具１１と同一部分には同一符号を付してその詳細は省略する。
【００２１】
このインサート取付治具３１は、溝部１７の外周縁に沿って立上がり部３２が形成されている。従って、インサート１９の端部１９ａが溝部１７にシッカリと保持されることとなる。
【００２２】
次に、以上のように構成されたインサート取付治具１１、３１を型枠１８に取り付けるインサートの取付方法について説明する。まず、インサート取付治具１１の突出部２３を、インサート１９の端部１９ａに挿入して、ネジ部１３を雌ネジ部１９ｂに螺着する。このとき、インサート１９の端部１９ａが溝部１７に嵌り込むように螺着する。
【００２３】
そして、基部１２の底面１２ａに所定の接着剤を塗布し、又は両面テープを貼り付ける。更に、型枠１８の内側の所定位置に、基部１２の底面１２ａを接着、又は貼着させることにより、インサート１９を型枠１８内の所定位置に保持する。
【００２４】
この場合、基部１２は湾曲変形するので、型枠の曲面にも取り付けることができる。また、型枠に孔を開けないので、型枠のコーナーや孔開けができない位置にも取り付けることができる。更に、木製型枠だけでなく、金属製型枠又はＦＲＰ製型枠等の種々の材質の型枠に取り付けることができる。
なお、型枠１８が木製の場合には、基部１２を型枠１８に対して釘（図示せず）で打ち付けて取り付けることもできる。
【００２５】
次いで、型枠１８内にコンクリート２０を流し込んで充填する。この時、インサート１９の端部１９ａが溝部１７に嵌め込まれているので、端部１９ａからコンクリートのノロが内部に侵入しないのである。
【００２６】
また、インサート１９が投入するコンクリート２０の圧力を受けたときに、溝部１７がインサート１９の端部１９ａを保持した状態にあるので傾斜防止ストッパーの役目を果たすこととなる。
特に、第２実施例のインサート取付治具３１の場合は、溝部１７の外周縁に沿って立上がり部３２が形成されているので、インサート１９の端部１９ａが溝部１７にシッカリと保持されることとなり、傾斜防止ストッパーの機能が向上する。
【００２７】
更に、コンクリート２０の圧力でインサート１９が傾いた場合でも、軸材１６に真っ直ぐ戻る力が働くので、コンクリート構造物の中にインサート１９が真っ直ぐに埋設されることとなる（図６（イ）（ロ）参照）。
【００２８】
次に、コンクリート２０を養生してから型枠１８を取り外すと同時に、インサート取付治具１１の突出部２３を、インサート１９の雌ネジ部１９ｂから強制的に引き抜く（図７参照）。この時、キャップ１５の先端孔１５ａから基部１２に渡って軸材１６が挿通されているので、基部１２と突出部２３とが破断することなく引き抜きが容易にできる。
型枠１８に取り付けられたインサート取付治具１１は、皮スキ２２等の工具で簡単に取り除くことができる（図８参照）。
【００２９】
仮に、基部１２と突出部２３とが破断した場合でも（図９（イ）参照）、ペンチ２１で軸材１６を引き抜いて突出部２３を簡単に取り除くことができる（図９（ロ）参照）。
なお、図９（ロ）に示すように、基部１２と突出部２３とが破断して、突出部２３がインサート１９の中に残ってしまった場合は、残存した突出部２３が錆び防止用の栓の役目を果たすこととなる。この場合、インサート１９の使用時に突出部２３を取り除けばよい。
【産業上の利用可能性】
【００３０】
本発明のインサート取付治具及びインサートの取付方法は、インサートだけでなく、インサート取付治具のネジ部と螺合できるサイズの雌ネジ部を有する種々のもの、例えば、ボルト、ナット、又は水道管等を、インサート取付治具に保持させて型枠に取り付けることができる。
【図面の簡単な説明】
【００３１】
【図１】本発明の第１実施例に係るインサート取付治具１１の斜視図である。
【図２】本発明の第１実施例に係るインサート取付治具１１、及びインサート１９を分離して示した斜視図である。
【図３】インサート取付治具１１にインサート１９を保持して、コンクリート構造物中に埋設した状態の断面図である。
【図４】本発明の第２実施例に係るインサート取付治具３１の斜視図である。
【図５】インサート取付治具３１にインサート１９を保持して、コンクリート構造物中に埋設した状態の断面図である。
【図６】（イ）インサート取付治具１１にインサート１９を保持して、型枠１８に取り付けた状態の断面図である。（ロ）インサート１９が投入するコンクリート２０の圧力を受けた状態を示す断面図である。
【図７】インサート取付治具１１をインサート１９から強制的に引き抜いた状態を示す断面図である。
【図８】型枠１８に取り付けられたインサート取付治具１１を皮スキ２２で取り除いた状態を説明する側面図である。
【図９】（イ）基部１２と突出部２３とが破断した状態を示す断面図である。（ロ）ペンチ２１で軸材１６を引き抜く状態を示す断面図である。
【図１０】（イ）従来例の吸盤型インサート取付治具１にインサート４を保持した状態の断面図である。（ロ）インサート４が斜めに傾いてネジ山５がズレた状態を示す断面図である。（ハ）コンクリート構造物６の中にインサート４が傾いて埋設された状態の断面図である。
【符号の説明】
【００３２】
１    吸盤型インサート取付治具
２    型枠
３    コンクリート
４    インサート
４ａ  端部
５    ネジ山
６    コンクリート構造物
１１  インサート取付治具
１２  基部
１２ａ底面
１３  ネジ部
１４  細径部
１４ａ段部
１４ｂ先端部
１５  キャップ
１５ａ先端孔
１６  軸材
１７  溝部
１８  型枠
１９  インサート
１９ａ端部
１９ｂ雌ネジ部
２０  コンクリート
２１  ペンチ
２２  皮スキ
２３  突出部
２４  孔
３１  インサート取付治具
３２  立上がり部
【図１】
2006028907.tif 000003
【図２】
2006028907.tif 000004
【図３】
2006028907.tif 000005
【図４】
2006028907.tif 000006
【図５】
2006028907.tif 000007
【図６】
2006028907.tif 000008
【図７】
2006028907.tif 000009
【図８】
2006028907.tif 000010
【図９】
2006028907.tif 000011
【図１０】
2006028907.tif 000012